(57)【要約】【課題】長期間に渡って収納庫を使用することができる収納用システムを提供する。【解決手段】収納用システム１は、荷送り者から荷受け者に配達される宅配物を収納する複数の収納庫２０と、間接的又は直接的に複数の収納庫２０と電気的に接続される１つの電池ユニット３０とを備える。そして、各々の収納庫２０は、電力が供給される受電部２２と、他の収納庫２０に電力を供給する給電部２３と、受電部２２から供給された電力によって施開錠する電気錠２１とを有する。【選択図】図４
2020056155.tif 000002
【特許請求の範囲】
【請求項１】
荷送り者から荷受け者に配達される宅配物を収納する複数の収納庫と、
間接的又は直接的に前記複数の収納庫と電気的に接続される１つの電池ユニットとを備え、
各々の前記収納庫は、電力が供給される受電部と、他の収納庫に電力を供給する給電部と、前記受電部から供給された電力によって施開錠する電気錠とを有する
収納用システム。
【請求項２】
前記収納庫は、さらに、前記受電部又は前記給電部を収容できる凹部を有する
請求項１に記載の収納用システム。
【請求項３】
前記収納庫は、金属製の筐体で構成され
前記受電部の受電端子及び前記給電部の接地側のそれぞれの接点は、前記収納庫を構成する前記筐体に接地される
請求項１又は２に記載の収納用システム。
【請求項４】
前記収納庫は、ワイヤレスで電力を受電及び給電する
請求項１に記載の収納用システム。
【請求項５】
前記電池ユニットは、
複数の電池と、
前記複数の電池のうち使用している電池の各々の出力電圧を検知する検知部と、
前記使用している電池の前記各々の出力電圧が規定電圧よりも小さいかどうかを、各々の電池ごとに判定する制御部とを有し、
前記制御部は、前記使用している電池の前記出力電圧が前記規定電圧よりも小さくなった場合、前記出力電圧が前記規定電圧よりも小さい電池の使用を中断し、前記出力電圧が前記規定電圧以上の電池の使用を開始する
請求項１〜４のいずれか１項に記載の収納用システム。
【請求項６】
前記電池ユニットは、さらに、前記出力電圧が前記規定電圧よりも小さい電池を示す信号を出力する信号部を備える
請求項５項に記載の収納用システム。
【請求項７】
前記複数の収納庫は、前記電池ユニットに対して、電気的に並列接続されている
請求項１〜６のいずれか１項に記載の収納用システム。
【発明の詳細な説明】
【技術分野】
【０００１】
本開示は、収納用システムに関する。
【背景技術】
【０００２】
マンション等の集合住宅には、宅配ボックス（宅配ロッカーとも呼ばれる）等の収納庫が配置されている。収納庫は、種々の商品又は荷物を宅配物として収受する。収納庫は、荷受け者が宅配物を収納庫に収納し、集合住宅の居住者等の荷受け者はＩＤカード等の認証手段を用いて自分宛ての宅配物が収納された収納庫を開錠して宅配物を引き取る。
【０００３】
特許文献１に記載の収納庫は、宅配物が収容可能な区劃室部と、扉が開放された区劃室内に物品を収納し、扉を閉鎖することによって扉を施錠する扉施錠手段とを備える物品受渡管理装置が開示されている。物品受渡管理装置のそれぞれは、充電式電池を備え、充電式電池によって収納庫を開錠又は施錠する。
【先行技術文献】
【特許文献】
【０００４】
【特許文献１】特開平６−１１１１２５号公報
【発明の概要】
【発明が解決しようとする課題】
【０００５】
しかしながら、各々の収納庫に充電式電池を備える構成では、例えば充電式電池の電力が切れた場合に、荷送り者が宅配物を収納することができない、又は、荷受け者が宅配物を受け取ることができないという不具合が生じる。また、収納庫が多ければ多いほど、収納庫の充電式電池のメンテナンスに手間がかかる。
【０００６】
そこで、本開示は、長期間に渡って収納庫を使用することができる収納用システムを提供する。
【課題を解決するための手段】
【０００７】
本開示の一態様に係る収納用システムは、荷送り者から荷受け者に配達される宅配物を収納する複数の収納庫と、間接的又は直接的に前記複数の収納庫と電気的に接続される１つの電池ユニットとを備え、各々の前記収納庫は、電力が供給される受電部と、他の収納庫に電力を供給する給電部と、前記受電部から供給された電力によって施開錠する電気錠とを有する。
【発明の効果】
【０００８】
本開示の収納用システムは、長期間に渡って収納庫を使用することができる。
【図面の簡単な説明】
【０００９】
【図１】図１は、実施の形態１に係り、収納用システムの概略図である。
【図２】図２は、実施の形態１に係り、収納用システムのブロック図である。
【図３Ａ】図３Ａは、実施の形態１に係り、収納用システムを構成する収納庫の概略図である。
【図３Ｂ】図３Ｂは、図３ＡのＩＩＩＢ−ＩＩＩＢ線における収納用庫の受電部を示す断面図である。
【図４】図４は、実施の形態１に係り、収納用システムの回路構成図である。
【図５】図５は、実施の形態１に係り、荷送り者及び荷受け者が収納用システムを使用する際の動作を例示するフローチャートである。
【図６】図６は、実施の形態２に係り、収納用システムの概略図である。
【図７】図７は、実施の形態２に係り、収納用システムのブロック図である。
【図８】図８は、実施の形態２に係り、収納用システムの回路構成図である。
【図９】図９は、実施の形態２に係り、荷送り者及び荷受け者が収納用システムを使用する際の動作を例示するフローチャートである。
【図１０】図１０は、変形例に係り、収納用システムを構成する収納庫の概略図である。
【図１１】図１１は、変形例に係り、収納用システムの正面図である。
【発明を実施するための形態】
【００１０】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下、本開示の実施の形態に係る収納用システムについて説明する。
【００１３】
（実施の形態１）
［構成］
まず、本実施の形態に係る収納用システム１の構成について説明する。
【００１４】
図１は、実施の形態１に係り、収納用システム１の概略図である。図２は、実施の形態１に係り、収納用システム１のブロック図である。
【００１５】
図１及び図２に示すように、収納用システム１では、マンション、アパート等の集合住宅に複数の収納庫２０（宅配ボックスとも呼ばれる）が配置されており、複数の収納庫２０が種々の商品又は荷物を宅配物として収受する。収納用システム１は、複数の収納庫２０と、１つの電池ユニット３０とを備える。
【００１６】
収納庫２０は、荷送り者から荷受け者に配達される宅配物を収納する宅配ボックスである。収納庫２０は、宅配物を収納する収納空間を有する金属製の筐体２９と、筐体２９に対して開閉可能な扉とを有する。収納庫２０の扉には取手が配設される。
【００１７】
収納庫２０の構成について図３Ａに示す。図３Ａは、実施の形態１に係り、収納用システム１を構成する収納庫２０の概略図である。収納庫２０は、電気錠２１と、受電部２２と、給電部２３と、通信部２４と、第１制御部２５とを有する。
【００１８】
電気錠２１は、受電部２２から供給された電力によって扉を施開錠（開錠及び施錠ともいう）する。具体的には、収納庫２０が有する第１制御部２５は、ＩＤカード又は端末装置４０ａ、４０ｂを介した認証番号又は暗証番号の入力に基づいて、扉の電気錠２１の施開錠を制御する。
【００１９】
例えば、荷送り者が保有する端末装置４０ａに認証番号を入力すると、図示しないサーバ装置に認証番号が送信されサーバ装置が認証番号と、荷送り者が収納する収納庫２０の認証番号とが一致しているかどうかを確認する。サーバ装置は、入力された認証番号と荷送り者が収納する収納庫２０の認証番号とが一致している場合に、荷送り者が収納する収納庫２０の電気錠２１を開錠する開錠情報を送信し、収納庫２０の電気錠２１を開錠する。このように、荷送り者が端末装置４０ａを操作することで、電気錠２１は、端末装置４０ａから送信された認証番号に応じた特定の収納庫２０の電気錠２１を開錠する。そして、荷送り者が宅配物を収納庫２０に入れて扉を締めれば、電気錠２１は自動的に扉の電気錠２１を施錠する。
【００２０】
また、例えば、荷受け者がこの収納庫２０の電気錠２１を開錠する場合、端末装置４０ｂに暗証番号を入力すると、端末装置４０ｂは、暗証番号を収納庫２０に送信し、収納庫２０が受信した暗証番号と、収納庫２０が保有する荷受け者が出庫する収納庫２０の暗証番号とが一致しているかどうかを確認する。収納庫２０の第１制御部２５は、入力された暗証番号と荷受け者が出庫する収納庫２０の暗証番号とが一致している場合に、電気錠２１を制御して、荷受け者が出庫する収納庫２０の電気錠２１を開錠する。こうして、荷受け者が端末装置４０ｂを操作することで、電気錠２１は、端末装置４０ｂから送信された暗証番号に応じた特定の収納庫２０の電気錠２１を開錠する。
【００２１】
受電部２２の構成について図３Ｂに示す。図３Ｂは、図３ＡのＩＩＩＢ−ＩＩＩＢ線における収納用庫の受電部２２を示す断面図である。受電部２２は、電力が供給される、例えばコンセント等の雄側の接続コネクタである。本実施の形態では、受電部２２は、２本の雄側の受電端子２２ａを有し、一方が電力を供給する基準端子であり、他方が接地側のアース端子である。受電部２２は、他の収納庫２０又は電池ユニット３０と電力的に接続しない状態のとき、収納庫２０の筐体２９に形成された凹部２９ａに収納される。受電部２２は、ケーブルによって筐体２９と電気的に接続されていてもよく、所定の軸心に対して回動可能であってもよい。
【００２２】
図３Ａに示すように、給電部２３は、他の収納庫２０に電力を供給する、例えばコンセント等の雌側の接続コネクタである。本実施の形態では、給電部２３は、２本の雌側の給電端子２３ａを有し、一方が電力を供給する基準端子であり、他方が接地側のアース端子である。給電部２３は、他の収納庫２０の受電部２２と対応し、電気的に接続可能である。
【００２３】
本実施の形態では、受電部２２が雄側の受電端子２２ａであり、給電部２３が雌側の給電端子２３ａであるが、受電部２２が雌側の受電端子でもよく、給電部２３が雄側の給電端子でもよい。この場合、給電部２３は、他の収納庫２０の受電部２２又は電池ユニット３０と電気的に接続しない場合、収納庫２０の筐体２９に形成された凹部２９ａに収納される。
【００２４】
通信部２４は、荷送り者が保有する端末装置４０ａ、荷受け者が保有する端末装置４０ｂ、及び、認証番号が一致しているかどうかを判定するサーバ装置と通信する無線モジュールである。通信部２４は、電気錠２１を施開錠する際にサーバ装置及び端末装置４０ａ、４０ｂと通信を行う。
【００２５】
第１制御部２５は、電気錠２１を制御して、扉の電気錠２１を施開錠するコントローラである。また、第１制御部２５は、荷受け者の端末装置４０ｂから受信した暗証番号と、収納庫２０が保有する暗証番号とが一致しているかどうかを確認する。互いの暗証番号が一致している場合、第１制御部２５は、電気錠２１を制御して、荷受け者が出庫する収納庫２０の電気錠２１を開錠する。また、第１制御部２５は、収納庫２０の扉が閉じられると、電気錠２１を制御して扉の施錠を行う。
【００２６】
図１に示すように、本実施の形態では、電池ユニット３０の上に複数の収納庫２０が積載されている。これらの収納庫２０のうち、最下層の収納庫２０は電池ユニット３０の図示しない給電端子と電気的に接続され、中層の収納庫２０は、受電部２２と最下層の収納庫２０の給電部２３とが電気的に接続され、最上層の収納庫２０は受電部２２と中層の収納庫２０の給電部２３とが電気的に接続される。なお、各々の収納庫２０は、崩れないように治具などで固定されている。
【００２７】
収納用システム１の回路構成図について図４に示す。図４は、実施の形態１に係り、収納用システム１の回路構成図である。複数の収納庫２０は、電池ユニット３０に対して電気的に並列接続されている。なお、本実施の形態では、例えば、３つの収納庫２０を並列接続したものを１組とした３組が直列に接続されてもよい。
【００２８】
図３Ａに示すように、なお、受電部２２及び凹部２９ａは収納庫２０の下面に配置されているが、給電部２３が雄側の給電端子であれば、凹部２９ａは収納庫２０の上面に配置されていてもよい。また、受電部２２が収納庫２０の一方の側面、給電部２３が収納庫２０の他方の側面に配置されていてもよく、受電部２２及び給電部２３が収納庫２０の背面に配置されていてもよい。凹部２９ａにおいても同様である。
【００２９】
受電部２２及び給電部２３は、収納庫２０を構成する筐体２９に接地されてもよい。また、受電部２２及び給電部２３は、それぞれのアース端子が筐体２９と電気的に接続されていてもよい。
【００３０】
図１及び図３Ａに示すように、複数の収納庫２０には、１つの電池ユニット３０の電力が供給される。つまり、複数の収納庫２０のうち、電池ユニット３０と直接電気的に接続される収納庫２０と、他の収納庫２０を介して間接的に電池ユニット３０に接続される収納庫２０とが存在する。これらの収納庫２０は、１つの電池ユニット３０に格納される電池３１から電力が供給される。
【００３１】
電池ユニット３０は、間接的又は直接的に複数の収納庫２０と電気的に接続される。電池ユニット３０は、複数の電池３１が格納されている。電池ユニット３０は、電気的に接続された複数の収納庫２０に電力を供給する。電池３１は、一次電池及び二次電池等である。
【００３２】
なお、本実施の形態では、電池ユニット３０は、複数の収納庫２０が積載されるが、複数の収納庫２０の上面、側面、又は、背面に配置されてもよい。
【００３３】
［動作］
次に、収納用システム１の動作について説明する。
【００３４】
図５は、実施の形態１に係り、荷送り者及び荷受け者が収納用システム１を使用する際の動作を例示するフローチャートである。
【００３５】
図５に示すように、荷送り者が収納庫２０に宅配物を収納する場合、荷送り者は、保有する端末装置４０ａを操作し、端末装置４０ａに認証番号を入力する。端末装置４０ａは、認証番号をサーバ装置に送信し、サーバ装置が受信した認証番号と、サーバ装置が保有する荷送り者が収納する収納庫２０の認証番号とが一致しているかどうかを確認する。端末装置４０ａから入力された認証番号と荷送り者が収納する収納庫２０の認証番号とが一致している場合に、サーバ装置は、荷送り者が収納する収納庫２０の電気錠２１を開錠する開錠情報を送信する。荷送り者が収納する収納庫２０は、開錠情報を受信する（Ｓ１１）。なお、上記認証番号が一致しているかどうかの確認は、サーバ装置ではなく、通信部２４又は第１制御部２５が行ってもよい。
【００３６】
次に、収納庫２０の第１制御部２５は、電気錠２１を制御して、扉の電気錠２１を開錠する（Ｓ１２）。こうして、荷送り者が端末装置４０ａを操作することで、電気錠２１は、端末装置４０ａから送信された認証番号に応じた特定の収納庫２０の扉を開錠する。荷送り者は、扉が開いた収納庫２０に宅配物を収納する。
【００３７】
収納庫２０は扉が閉じられると、第１制御部２５が電気錠２１を制御して扉の施錠を行う（Ｓ１３）。
【００３８】
次に、荷受け者がこの収納庫２０の電気錠２１を開錠する場合、端末装置４０ｂに暗証番号を入力する。端末装置４０ｂは、暗証番号を収納庫２０に送信する。収納庫２０の第１制御部２５は、受信した暗証番号と、収納庫２０が保有する暗証番号とが一致しているかどうかを確認する。収納庫２０の第１制御部２５は、入力された暗証番号と荷受け者が出庫する収納庫２０の暗証番号とが一致している場合に、電気錠２１を制御して、荷受け者が出庫する収納庫２０の電気錠２１を開錠する（Ｓ１４）。そして、荷受け者は収納庫２０に収納されている宅配物を取り出す。収納庫２０は扉が閉じられると、第１制御部２５が電気錠２１を制御して扉の施錠を行う。こうして、荷送り者は収納庫２０に宅配物を収納し、荷受け者は収納庫２０から宅配物を取り出すことができる。なお、上記荷送り者及び荷受け者が収納用システム１を使用する際の動作の一例であり、これには限定されず、他の公知の手段を用いてもよい。
【００３９】
なお、収納庫２０の第１制御部２５が行う、受信した暗証番号と、収納庫２０が保有する暗証番号とが一致しているかどうかの確認はサーバ装置が行ってもよい。
【００４０】
［作用効果］
次に、本実施の形態における収納用システム１について説明する。
【００４１】
上述したように、本実施の形態に係る収納用システム１は、荷送り者から荷受け者に配達される宅配物を収納する複数の収納庫２０と、間接的又は直接的に複数の収納庫２０と電気的に接続される１つの電池ユニット３０とを備える。そして、各々の収納庫２０は、電力が供給される受電部２２と、他の収納庫２０に電力を供給する給電部２３と、受電部２２から供給された電力によって施開錠する電気錠２１とを有する。
【００４２】
このように、複数の収納庫２０では、１つの電池ユニット３０から供給された電力を用いて電気錠２１を施開錠することができる。つまり、複数の収納庫２０は、１つの電池ユニット３０から供給される電力を共有している。このため、この収納用システム１では、複数の収納庫２０のうちの、特定の収納庫２０への電力の供給が停止するといった不具合が生じ難い。このため、複数の収納庫２０に確実に電力を供給することができるため、電気錠２１の施開錠を確実に行うことができる。
【００４３】
したがって、この収納用システム１では、長期間に渡って収納庫２０を使用することができる。特に、特定の収納庫２０への電力の供給が停止することで、荷送り者又は荷受け者が収納庫２０の電気錠２１を施開錠することができないという不具合を抑制することができる。
【００４４】
また、本実施の形態に係る収納用システム１において、収納庫２０は、さらに、受電部２２又は給電部２３を収容できる凹部２９ａを有する。
【００４５】
このように、収納庫２０を他の収納庫２０と電気的に接続しない場合は、受電部２２を凹部２９ａに収納することができる。このため、収納庫２０を運搬する際に、受電部２２が邪魔になり難い。
【００４６】
また、本実施の形態に係る収納用システム１において、複数の収納庫２０は、電池ユニット３０に対して、電気的に並列接続されている。
【００４７】
このように、各々の収納庫２０は、電池ユニット３０に対して並列接続されているため、略同一の電力を得ることができる。
【００４８】
（実施の形態２）
［構成］
本実施の形態における他の構成は、特に明記しない場合は、実施の形態１と同様であり、同一の構成については同一の符号を付して構成に関する詳細な説明を省略する。
【００４９】
図６は、実施の形態２に係り、収納用システム２００の概略図である。図７は、実施の形態２に係り、収納用システム２００のブロック図である。
【００５０】
図６及び図７に示すように、本実施の形態における電池ユニット２３０は、複数の電池３１のうち、所定個数分の電池３１の電力を全ての収納庫２０に供給する。所定の個数は、電池ユニット２３０に接続される収納庫２０の数に応じて変更されてもよく、予め設定された固定数であってもよい。
【００５１】
電池ユニット２３０は、複数の電池３１の他に、検知部３２と、第２制御部３３と、複数の信号部３４とを有する。
【００５２】
検知部３２は、複数の電池３１の各々の出力電圧を検知する。検知部３２は、例えば、電圧計である。なお、検知部３２は、電流計でも電力計でもよい。検知部３２は各々の電池３１の出力電圧を検知すると、検知した各々の電池３１の出力電圧を示す検知情報を第２制御部３３に出力する。
【００５３】
第２制御部３３は、検知部３２から各々の電池３１の検知情報を取得すると、使用している電池３１の各々の出力電圧が規定電圧よりも小さいかどうかを、各々の電池３１ごとに判定する。第２制御部３３は、出力電圧が規定電圧よりも小さくなった場合、出力電圧が規定電圧よりも小さい電池３１の使用を中断し、出力電圧が規定電圧以上の電池３１の使用を開始する。
【００５４】
収納用システム２００の回路構成図について図８に示す。図８は、実施の形態２に係り、収納用システム２００の回路構成図である。なお、図８では、検知部３２、信号部３４等は省略している。
【００５５】
図８に示すように、例えば、第２制御部３３は、スイッチ３５を操作し、複数の収納庫２０と電気的に接続しているＹ本（全部でＸ本ある電池３１のうちの一部の本数）を、複数の収納庫２０と別のＹ本の電池３１とを電気的に接続するように切換える。第２制御部３３は制御部の一例である。スイッチ３５は、複数の電池３１の上流側又は下流側に設置される。
【００５６】
なお、複数の電池３１のうち、３本の電池３１を使用していた場合において、２本の電池３１の出力電圧が規定電圧よりも小さくなった場合、出力電圧が規定電圧よりも小さくなった２本の電池３１の使用を中断し、中断した電池３１の本数に応じて別の２本の電池３１を使用してもよい。こうして、収納庫２０は３本の電池３１を使用し続けてもよい。
【００５７】
図６及び図７に示すように、複数の信号部３４は、出力電圧が規定電圧よりも小さい電池３１を示す信号を出力する。複数の信号部３４は、電池ユニット２３０に内包される複数の電池３１と一対一で対応している。つまり、第２制御部３３は、出力電圧が規定電圧よりも小さくなった電池３１に対応する信号部３４を点灯させる。これにより、信号部３４は、電池３１の電力が小さいことを報知する。
【００５８】
信号部３４は、例えば、ＬＥＤランプ、電球等であり、複数の色の光を出射する。例えば、出力電圧が規定電圧よりも小さい場合、信号部３４は赤色で点灯し（例えばドットのハッチングで示す）、出力電圧が規定電圧以上の場合、信号部３４は点灯しない又は緑色で点灯する。
【００５９】
［動作］
次に、収納用システム２００の動作について説明する。
【００６０】
図９は、実施の形態２に係り、荷送り者及び荷受け者が収納用システム２００を使用する際の動作を例示するフローチャートである。
【００６１】
図９に示すように、まず、検知部３２は、電池ユニット２３０に内包される複数の電池３１の各々の出力電圧を検知する。検知部３２は、各々の電池３１の出力電圧を示す検知情報を第２制御部３３に出力する（Ｓ２１）。なお、検知部３２が出力電圧を検知する電池３１は、収納庫２０に電力を供給している電池３１だけでもよい。つまり、検知部３２は、全ての電池３１の電力を検知してもよく、全ての電池３１の電力を検知しなくてもよい。
【００６２】
次に、第２制御部３３は、使用している電池３１の出力電圧が規定電圧よりも小さいかどうかを、各々の電池３１ごとに判定する（Ｓ２２）。
【００６３】
使用している電池３１の出力電圧が規定電圧以上の場合（Ｓ２２でＮｏ）、第２制御部３３は、ステップＳ２１に戻り同様の処理を行う。
【００６４】
第２制御部３３は、使用している電池３１の出力電圧が規定電圧よりも小さい場合（Ｓ２２でＹｅｓ）、出力電圧が規定電圧よりも小さい電池３１の使用を中断し、出力電圧が規定電圧以上の電池３１の使用を開始する（Ｓ２３）。ここで、第２制御部３３は、他の電池３１の出力電圧が規定電圧以上であるかどうかを検知してから、出力電圧が規定電圧以上となる電池３１の使用を開始してもよい。
【００６５】
次に、第２制御部３３は、出力電圧が規定電圧よりも小さくなった電池３１に対応する信号部３４を点灯させる（Ｓ２４）。こうすることで、電池３１が切れていることを簡易に認識することができるため、電池３１の交換タイミングを知ることができる。
【００６６】
［作用効果］
次に、本実施の形態における収納用システム２００について説明する。
【００６７】
上述したように、本実施の形態に係る収納用システム２００において、電池ユニット２３０は、複数の電池３１と、複数の電池３１のうち使用している電池３１の各々の出力電圧を検知する検知部３２と、使用している電池３１の各々の出力電圧が規定電圧よりも小さいかどうかを、各々の電池３１ごとに判定する第２制御部３３とを有する。そして、第２制御部３３は、使用している電池３１の出力電圧が規定電圧よりも小さくなった場合、出力電圧が規定電圧よりも小さい電池３１の使用を中断し、出力電圧が規定電圧以上の電池３１の使用を開始する。
【００６８】
このように、出力電圧が規定電圧よりも小さくなった場合、出力電圧が規定電圧以上の電池３１の使用を開始する。つまり、電池ユニット２３０には電池３１の予備が格納されているため、より長期間に渡って収納庫２０を使用することができる。
【００６９】
また、本実施の形態に係る収納用システム２００において、電池ユニット２３０は、さらに、出力電圧が規定電圧よりも小さい電池３１を示す信号を出力する信号部３４を備える。
【００７０】
このように、信号部３４は、出力電圧が規定電圧よりも小さくなっている電池３１を報知することができる。このため、電池ユニット２３０に内包される複数の電池３１のうち、交換すべき電池３１を簡易に特定することができる。
【００７１】
本実施の形態における他の作用効果は、実施の形態１における作用効果と同様の作用効果を奏する。
【００７２】
（その他）
以上、本開示について、実施の形態１、２に基づいて説明したが、本開示は、上記収納用システムに限定されるものではない。
【００７３】
例えば、本実施の形態に係る収納用システム１において、受電部の受電端子又は給電部の給電端子は、２つあるが、給電端子又は受電端子１つの端子で構成されていてもよい。例えば、図１０に示すように、受電部２２ｂ及び給電部２３ｂは、それぞれ１本の受電端子２２ｃ及び給電端子２３ｃであってもよい。図１０は、変形例に係り、上側の収納庫２０ａと下側の収納庫２０ａとの間から見た場合の概略図である。上側の収納庫２０ａの受電部２２ｂの受電端子２２ｃは、下側の収納庫２０ａの給電部２３ｂの給電端子２３ｃに電気的に接続される。これらの受電端子２２ｃ及び給電端子２３ｃの接地側は、収納庫２０を構成する筐体２９が兼ねている。これにより、収納庫２０は、金属製の筐体２９で構成される。そして、受電部２２ｂ及び給電部２３ｂ（受電端子２２ｃ及び給電端子２３ｃの接地側のそれぞれの接点）は、収納庫２０を構成する筐体２９に接地される。このように、受電部２２ｂ及び給電部２３ｂの接地側のそれぞれの接点は筐体２９に接地することができるため、収納庫２０の接地を簡易に行うことができる。
【００７４】
また、上記各実施の形態１、２に係る収納用システム３００において、収納庫３２０がワイヤレスで電力を受電及び給電する場合を図１１に例示する。図１１は、変形例に係り、収納用システム３００の正面図である。図１１に示すように、具体的には、電池ユニット３３０の上面には電磁誘導コイル３２１が配置され、収納庫３２０の上面及び下面には電磁誘導コイル３２１が配置される。電池ユニット３３０の上面に配置される電磁誘導コイル３２１が給電部に相当し、収納庫３２０の下面に配置される電磁誘導コイル３２１が受電部に相当し、収納庫３２０の上面に配置される電磁誘導コイル３２１が給電部に相当する。つまり収納庫３２０は、非接触給電によって電力が供給される。この場合、給電部の給電端子と受電部の受電端子とを電気的に接続する場合に比べて、簡易に収納庫３２０を配置することができる。なお、収納庫３２０は、上記実施の形態１のような凹部２９ａを有していなくてもよい。
【００７５】
また、上記各実施の形態１、２に係る収納用システムにおいて、電池ユニットの上に複数の収納庫が積載されているが、積載する数は図１に限定されない。収納用システムを導入するマンション等の集合住宅の戸数に応じて収納庫の数を適宜変更してもよい。
【００７６】
また、上記各実施の形態１、２に係る収納用システムにおいて、第１制御部又は第２制御部が行う処理はコンピュータを用いたプログラムであってもよい。プログラムは、典型的に集積回路であるＬＳＩとして実現される。これらは個別に１チップ化されてもよいし、一部又は全てを含むように１チップ化されてもよい。
【００７７】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００７８】
なお、上記各実施の形態１、２において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００７９】
また、上記で用いた数字は、全て本開示を具体的に説明するために例示するものであり、本開示の実施の形態は例示された数字に制限されない。
【００８０】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００８１】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００８２】
その他、実施の形態１、２に対して当業者が思いつく各種変形を施して得られる形態、本開示の趣旨を逸脱しない範囲で実施の形態１、２における構成要素及び機能を任意に組み合わせることで実現される形態も本開示に含まれる。
【符号の説明】
【００８３】
１、２００、３００  収納用システム
２０、２０ａ、３２０  収納庫
２１  電気錠
２２、２２ｂ  受電部
２２ａ、２２ｃ  受電端子
２３、２３ｂ  給電部
２３ａ、２３ｃ  給電端子
２９  筐体
２９ａ  凹部
３０、２３０、３３０  電池ユニット
３１  電池
３２  検知部
３３  第２制御部（制御部）
３４  信号部
【図１】
2020056155.tif 000003
【図２】
2020056155.tif 000004
【図３Ａ】
2020056155.tif 000005
【図３Ｂ】
2020056155.tif 000006
【図４】
2020056155.tif 000007
【図５】
2020056155.tif 000008
【図６】
2020056155.tif 000009
【図７】
2020056155.tif 000010
【図８】
2020056155.tif 000011
【図９】
2020056155.tif 000012
【図１０】
2020056155.tif 000013
【図１１】
2020056155.tif 000014